(57)【要約】【目的】  ディスプレイモジュールが備える映像独自表示機能を活用する映像表示装置を提供する。【構成】  放送受信装置３０は、ＰＤＰモジュール１７を備えている。ＰＤＰモジュール１７は、自らの機能でメモリ１７ｄ内の映像データに基づいて映像を表示する。放送受信装置３０の第２ＣＰＵ１５は、起動時の初期化で前記ディスプレイモジュール１７に対する指示が可能となった段階で前記ＰＤＰモジュール１７に対して前記映像独自表示機能の実行を指示する。これにより、起動後にできるだけ早く映像を提示することが可能となる。【選択図】        図１
2006270247.tif 000002
【特許請求の範囲】
【請求項１】
自らの機能で自メモリ内の映像データに基づいて映像を表示する映像独自表示機能を有するディスプレイモジュールを備えた映像表示装置において、前記ディスプレイモジュールに対して前記映像独自表示機能の実行を指示する指示手段を備えたことを特徴とする映像表示装置。
【請求項２】
請求項１に記載の映像表示装置において、前記指示手段は、起動時の初期化で前記ディスプレイモジュールに対する指示が可能となった段階で前記ディスプレイモジュールに対して前記映像独自表示機能の実行を指示することを特徴とする映像表示装置。
【請求項３】
請求項１又は請求項２に記載の映像表示装置において、前記映像独自表示機能の実行を要求するユーザー操作があったときに、前記指示手段は前記ディスプレイモジュールに対して前記映像独自表示機能の実行を指示することを特徴とする映像表示装置。
【請求項４】
請求項１乃至請求項３のいずれかに記載の映像表示装置において、スクリーンセイバーの実行が要請されたときに、前記指示手段は前記ディスプレイモジュールに対して前記映像独自表示機能の実行を指示することを特徴とする映像表示装置。
【請求項５】
請求項１乃至請求項４のいずれかに記載の映像表示装置において、予め設定された時間の後或いは前記映像独自表示機能を解除する指示があったときに、通常の映像表示状態に遷移するように構成されたことを特徴とする映像表示装置。
【請求項６】
請求項１乃至請求項５のいずれかに記載の映像表示装置において、映像表示装置が取得した映像データを前記ディスプレイモジュールの前記自メモリ内に格納するように構成されたことを特徴とする映像表示装置。
【請求項７】
請求項６に記載の映像表示装置において、電源ＯＦＦ（スタンバイ）を指示する信号を受け取ったときに予め指定されているソースから映像データを取得し、前記取得した映像データを前記ディスプレイモジュールの前記自メモリ内に格納する処理を行った後に電源ＯＦＦとなるように構成されたことを特徴とする映像表示装置。
【発明の詳細な説明】
【技術分野】
【０００１】
この発明は、ディジタル放送などのテレビ放送を受信して映像を表示したり、再生機器から映像データを受け取って映像を表示する映像表示装置に関する。
【背景技術】
【０００２】
衛星（ＣＳ，ＢＳ）や地上波を用いたディジタル放送を受信する放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、ＦＰＤ（フラットパネルディスプレイ）は、ディスプレイモジュールとして販売されており、テレビメーカーは前記ディスプレイモジュールを部品として購入し、他の回路と組み合わせ、放送受信装置として販売している。前記ディスプレイモジュールは、テストパターン映像や制御プログラムなどを格納するメモリと、前記テストパターン映像を再生して表示するためのシステムを実装している（特許文献１参照）。そして、外部ＣＰＵからＦＰＤを制御してテストパターンの表示と切り替えを制御することが可能である。
【特許文献１】特開２００４−３６１４４４号公報
【発明の開示】
【発明が解決しようとする課題】
【０００４】
従来においては、テレビメーカーは前記ディスプレイモジュールのメモリにディスプレイ調整用の設定情報を記憶させるのみであった。また、ディジタル放送受信装置においては、起動時の初期化が完了するまで、映像ノイズが画面に現れてしまうのを防止するためにミュート処理を行うようにしている。このため、放送受信映像を提示できるまでに１０秒程度を要し、その間、ユーザーを待たせてしまうことになっていた。
【０００５】
この発明は、上記の事情に鑑み、ディスプレイモジュールが備える映像独自表示機能を活用し、起動後にできるだけ早く映像を提示できる等の利点を有する映像表示装置を提供することを目的とする。
【課題を解決するための手段】
【０００６】
この発明の映像表示装置は、上記の課題を解決するために、自らの機能で自メモリ内の映像データに基づいて映像を表示する映像独自表示機能を有するディスプレイモジュールを備えた映像表示装置において、前記ディスプレイモジュールに対して前記映像独自表示機能の実行を指示する指示手段を備えたことを特徴とする。
【０００７】
上記の構成であれば、映像表示装置においてディスプレイモジュールの映像独自表示機能を利用した映像表示が行えることになる。
【０００８】
上記構成の映像表示装置において、前記指示手段は、起動時の初期化で前記ディスプレイモジュールに対する指示が可能となった段階で前記ディスプレイモジュールに対して前記映像独自表示機能の実行を指示することとしてもよい。
【０００９】
これら構成の映像表示装置において、前記映像独自表示機能の実行を要求するユーザー操作があったときに、前記指示手段は前記ディスプレイモジュールに対して前記映像独自表示機能の実行を指示することとしてもよい。
【００１０】
これら構成の映像表示装置において、スクリーンセイバーの実行が要請されたときに、前記指示手段は前記ディスプレイモジュールに対して前記映像独自表示機能の実行を指示することとしてもよい。
【００１１】
これら構成の映像表示装置において、予め設定された時間の後或いは前記映像独自表示機能を解除する指示があったときに、通常の映像表示状態に遷移するように構成されていてもよい。
【００１２】
これら構成の映像表示装置において、映像表示装置が取得した映像データを前記ディスプレイモジュールの前記自メモリ内に格納するように構成されていてもよい。かかる構成において、電源ＯＦＦ（スタンバイ）を指示する信号を受け取ったときに予め指定されているソースから映像データを取得し、前記取得した映像データを前記ディスプレイモジュールの前記自メモリ内に格納する処理を行った後に電源ＯＦＦとなるように構成されていてもよい。
【発明の効果】
【００１３】
以上説明したように、この発明であれば、ディスプレイモジュールが備える映像独自表示機能を活用し、起動後にできるだけ早く映像を提示したり、節電しつつディスプレイモジュールに映像を表示することができる等の効果を奏する。
【発明を実施するための最良の形態】
【００１４】
以下、この発明の実施形態を図１乃至図５に基づいて説明するが、ここではＢＳ（Ｂｒｏａｄｃａｓｔｉｎｇ  Ｓａｔｅｌｌｉｔｅ）ディジタル放送を受信する構成を例示している。図１はこの実施形態の放送受信装置（映像表示装置）３０を示したブロック図であり、図２及び図３は画面表示例を示した説明図であり、図４及び図５は制御例を示したフローチャートである。
【００１５】
アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００１６】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。
【００１８】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。
【００１９】
スイッチ（ＳＷ）９は、前記ＡＶデコーダ４からの映像・音声データ、ネットワークオーガナイザ１８を介してパーソナルコンピュータ１９から入力される映像・音声データ、ＡＶ機器２０から出力される映像・音声データのいずれかを選択して出力する。ネットワークオーガナイザ１８は、放送受信装置３０でパーソナルコンピュータ１９内の指定フォルダ内のファイル（動画ファイル等のコンテンツ）を視聴するためのものであり、例えば、パーソナルコンピュータ１９内の前記ファイルを周期的に読み出して放送受信装置３０のモニタに表示させる機能を有する。また、ＡＶ機器２０としては、ＤＶＤプレーヤなどが挙げられる。
【００２０】
映像処理回路５は、前記スイッチ９を介して映像データを受け取り、前記映像データに対するディジタル映像処理を行う。音声処理回路６は、音声データを受け取ってＤ／Ａ変換を行い、例えば右（Ｒ）音のアナログ信号及び左（Ｌ）音のアナログ信号を生成する。
【００２１】
スケーラ／ＯＳＤ回路１２は第２ＣＰＵ１５から出力指示された文字情報や色情報に基づく映像データを生成したり、放送受信映像の縮小処理を行う回路である。このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示などが行えることになる。
【００２２】
映像出力回路７は、スケーラ／ＯＳＤ回路１２を経た映像データをＰＤＰモジュール１７に供給する。音声出力回路８は音声処理回路６から出力された音声信号を増幅等してスピーカ１７に供給する。
【００２３】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換して第１ＣＰＵ１３に与える。
【００２４】
第１ＣＰＵ１３は、リモコン送信機１０からのリモートコントロール信号や図示しない操作部のキー操作による信号に対する処理、ディジタルチューナ２などに対する制御を主に行う。そして、第１ＣＰＵ１３は、リモコン送信機１０による電源ＯＦＦが行われたときでも、電力供給を受けて動作しており、リモートコントロール信号を監視する等の処理を行う。一方、第２ＣＰＵ１５は、メモリ１４、スケーラ／ＯＳＤ回路１２、映像処理回路５、ＰＤＰモジュール１７などに対する制御を主に行う。第１ＣＰＵ１３と第２ＣＰＵ１５とは、例えば、ＩＩＣバスにて相互に信号の送受（通信）を行う。第１ＣＰＵ１３の制御により、第２ＣＰＵ１５や映像・音声処理ブロック（図１の点線枠ブロック）を停止／起動することが可能となっている。メモリ（ＲＡＭ、ＥＥＰＲＯＭ、フラッシュメモリ、ＲＯＭ等）１４には、制御プログラムや各種データが格納される。
【００２５】
ＰＤＰモジュール１７は、プラズマディスプレイパネル（ＰＤＰ）１７ａと、このプラズマディスプレイパネル１７の表示制御を行う制御回路１７ｂと、モジュールＣＰＵ１７ｃと、モジュールメモリ１７ｄとを備える。モジュールＣＰＵ１７ｃは、第２ＣＰＵ１５と通信を行うことが可能であり、第２ＣＰＵ１５からの指令を受けて、表示制御などを行うことができる。ここで、モジュールＣＰＵ１７ｃはモジュールメモリ１７ｄから映像データを読み出すことができる。モジュールＣＰＵ１７ｃが前記映像データを制御回路１７ｂに与えると、映像がプラズマディスプレイパネル１７上に表示される。この映像表示処理は、前記映像・音声処理ブロック（図１の点線枠ブロック）が停止されている状態でも、実行することができる。すなわち、ＰＤＰモジュール１７の検査においては、モジュールＣＰＵ１７ｃはモジュールメモリ１７ｄからテストパターン映像データを読み出し、当該映像を表示するようになっており、本願発明においては、この独自映像表示機能を放送受信装置とされた後も利用することとする。
【００２６】
前記モジュールメモリ１７ｄへのテストパターン映像データ以外の映像データ書込を、ＰＤＰモジュール１７の製造メーカー側で行ってもよい。モジュールメモリ１７ｄが書き換え可能な不揮発性メモリであれば、モジュールＣＰＵ１７ｃを使って所望の映像データをモジュールメモリ１７ｄに格納することができる。モジュールメモリ１７ｄが書き換え不可能な不揮発性メモリであれば、所望の映像データが書き込まれたモジュールメモリを、元のモジュールメモリ（テストパターン映像データが格納されたメモリ）と差し替えればよい。
【００２７】
また、以下に述べるように、前記モジュールメモリ１７ｄへのテストパターン映像データ以外の映像データ書込を、ディジタル放送受信装置２において行うこともできる。すなわち、ディジタル放送受信装置２は、例えばデータ放送受信によって映像データやキャラクタデータを取得することができる。そして、第２ＣＰＵ１５とモジュールＣＰＵ１７ｃとは通信が可能である。そこで、第２ＣＰＵ１５が前記取得した映像データやキャラクタデータをモジュールＣＰＵ１７ｃに送信する。モジュールＣＰＵ１７ｃは受け取った映像データやキャラクタデータをモジュールメモリ１７ｄに書き込む。モジュールＣＰＵ１７ｃがモジュールメモリ１７ｄからデータを読み出すタイミング（モジュール機能による映像表示タイミング）については後述する。
【００２８】
図２は、前記モジュール機能による映像表示の一例を示した説明図である。この画面表示例では、ディジタル放送受信装置２がＢＳディジタルの３ｃｈ放送の受信によって取得した「今日の天気」の映像データが画面領域（ａ）に表示され、同様に５ｃｈ放送の受信によって取得した「ニュース」の映像データが画面領域（ｂ）に表示されている。また、画面領域（ｃ）には、通常放送を視聴するための操作内容を記述したメッセージを表示している。このメッセージのデータは第２ＣＰＵ１５がメモリ１４から読み出したものである。
【００２９】
図３は、モジュール機能による映像表示の設定画面（第２ＣＰＵ１５によるＯＳＤ画面）を示した説明図である。画面上の選択項目の上段の「映像選択」において、放送とチャンネルを選択する。例えば、「ＢＳディジタル」と表示されている欄にカーソルを載せた状態で、リモコン送信機１０の「ＢＳディジタル」と表記されているボタン、或いは、「地上」と表記されているボタンを操作することで、放送の選択が行える。また、「３ｃｈ／５ｃｈ」と表示されている欄にカーソルを載せた状態で、リモコン送信機１０の所望の選局ボタンを操作することで、チャンネルの選択が行える。複数のチャンネルを選択するときには、例えば、選局ボタン「３」の操作の後に「赤」ボタンを操作し更に選局ボタン「５」を操作すればよい。また、選択項目の下段の「表示指定」において、表示タイミングと表示時間とを選択することができる。図３の例では、表示タイミングとして「起動時」が選択されており、表示時間として「３０秒」が選択されている。これら設定情報は第２ＣＰＵ１５によってメモリ１４に格納される。
【００３０】
図４は、モジュール機能による映像表示で使う映像データの取得の処理を例示したフローチャートである。リモコン送信機１０から電源ＯＦＦを示す信号が送信されてきたとき（ステップＳ１）、映像出力（画面表示）はＯＦＦするが、第２ＣＰＵ１５等への通電は維持する。第２ＣＰＵ１５は、メモリ１４から設定情報を読み出し、モジュール機能による映像表示が「要」「不要」のいずれに設定されているかを判断する（ステップＳ２）。「不要」であれば、第１ＣＰＵ１３の処理によって第２ＣＰＵ１５等への通電はＯＦＦされる（ステップＳ５）。「要」であれば、前記設定内容に従って映像データを取得する（ステップＳ３）。第２ＣＰＵ１５は、３ｃｈの天気予報と５ｃｈのニュースのデータ放送を受信し、例えば、図示しないブラウザの出力映像を映像データ化する。そして、第２ＣＰＵ１５は、前記映像データを、ＰＤＰモジュール１７に転送する。ＰＤＰモジュール１７のＣＰＵ１７ｃは、受け取った映像データをメモリ１７ｄに格納する。なお、ＣＰＵ１７ｃが文字データを映像信号化する機能を持つ場合には、第２ＣＰＵ１５はデータ放送の文字データをＣＰＵ１７ｃに転送すればよい。その方がデータ量が少なく、メモリ１７ｄの容量は少なくて済む。上記一連の処理が終了すれば、第１ＣＰＵ１３の処理によって第２ＣＰＵ１５等への通電はＯＦＦされる（ステップＳ５）。
【００３１】
図５は、モジュール機能による映像表示の処理を例示したフローチャートである。リモコン送信機１０からの電源ＯＮ指令を第１ＣＰＵ１３が受け取ると（ステップＳ１１）、第１ＣＰＵ１３は第２ＣＰＵ１５等を起動させる。第２ＣＰＵ１５においては、ブートプログラムが起動され、更に、各種ソフトウェアがＥＥＰＲＯＭから読み出されてＲＡＭに展開され、初期化が行われる。ここで、ＰＤＰモジュール１７に対してモジュール機能による映像表示を行わせるためのソフトウェア、及びメモリ１４にアクセスするためのソフトウェアが起動し、更にＰＤＰモジュール１７からの起動完了通知を受け取る段階を第１段階の初期化とする。この第１段階の初期化が実行されると（ステップＳ１２）、第２ＣＰＵ１５は、メモリ１４から設定情報を読み出し、モジュール機能による映像表示を起動時に行う設定になっているかどうかを判断する（ステップＳ１３）。ＹＥＳであれば、第２ＣＰＵ１５はモジュールＣＰＵ１７ｃにモジュール機能による映像表示を指示する。モジュールＣＰＵ１７ｃはモジュールメモリ１７ｄから映像データを読み出して、ＰＤＰ１７ａに映像を表示させる（ステップＳ１４）。その後、第２ＣＰＵ１５においては、その他のアプリケーションソフトウェアがＥＥＰＲＯＭから読み出されてＲＡＭに展開される等の処理が行われ、残り段階の初期化が行われる（ステップＳ１５）。第２ＣＰＵ１５は指定時間となったかどうか及びユーザーのリモコン操作による解除指示があるかどうかを判断する（ステップＳ１６）。指定時間となった場合（例えば、３０秒経過：図３参照）、または解除指示があった場合には、例えば、ラストチャンネルの受信映像信号をＰＤＰモジュール１７に供給する（ステップＳ１７）。なお、ステップＳ１３で起動時映像無しとされた場合、残り段階の初期化が行われ（ステップＳ１８）、その後にステップＳ１７に進む。
【００３２】
このような処理が行われることにより、電源ＯＮ当初の比較的早い段階（前記第１段階の初期化が終了した段階）で、ＰＤＰ１７ａに映像が表示されることになり、初期化の全処理が終了するまで何の画面表示もなされないといったこれまでの放送受信装置に対するユーザーの不満を緩和することができる。
【００３３】
上記の例では、第１段階初期化の間だけ、モジュール機能による映像表示を実行することとしたが、これに限るものではない。例えば、予めネットワークオーガナイザ１８にてパーソナルコンピュータ１９から所望の動画ファイルや広告データ（例えば、放送受信装置３０を広告用ディスプレイとして利用）を放送受信装置３０内に取り込み、メモリ１４に格納しておく。そして、ユーザーのリモコン操作でモジュール機能による映像表示が指令されたとき、第２ＣＰＵ１５はメモリ１４から前記動画ファイルを読み出し、この動画ファイルをＰＤＰモジュール１７に転送する。ＰＤＰモジュール１７のＣＰＵ１７ａは、メモリ１７ｄへの前記動画ファイルの書込を終了すると、この動画ファイルを用いてモジュール機能による映像表示を実行すると共に第２ＣＰＵ１５に書込終了通知を行う。書込終了通知を受け取った第２ＣＰＵ１５は、第１ＣＰＵ１３に節電実行を指令する。節電指令を受けた第１ＣＰＵ１３は、映像・音声処理ブロック（図１の点線枠ブロック）への通電を停止させる。このとき、チューナ２などの放送受信機能に関係する回路への通電も停止してもよい。このように、テレビとしての機能を停止して節電を図りつつ、ＰＤＰモジュール１７において所望の動画を表示させることが可能である。
【００３４】
また、上述した映像表示処理を、ユーザー指示に基づかずに、放送受信装置３０の判断で自動実行するようにしてもよい。例えば、スクリーンセイバーにおいて、上述した映像表示処理を利用することができる。具体的には、経過時間などに基づいてスクリーンセイバーを自動実行するとき、第２ＣＰＵ１５はＰＤＰモジュール１７に対してモジュール機能による映像表示を指示すればよい。スクリーンセイバーに用いる映像は、動画や複数の静止画の順次表示とするのがよい。このスクリーンセイバーの実行時にも、映像・音声処理ブロック（図１の点線枠ブロック）等への通電を停止させることができるので、節電が図れる。
【００３５】
なお、上記の例ではＢＳディジタル放送受信装置を示したがこれに限るものではない。また、ＰＤＰモジュールを備える映像表示装置を示したが、他のフラットパネルモジュールを備える映像表示装置とすることもできる。
【図面の簡単な説明】
【００３６】
【図１】この発明の実施形態の放送受信装置を示したブロック図である。
【図２】画面表示例を示した説明図である。
【図３】画面表示例を示した説明図である。
【図４】処理内容を示したフローチャートである。
【図５】処理内容を示したフローチャートである。
【符号の説明】
【００３７】
１    アンテナ
２    ＢＳディジタルチューナ
３    デマルチプレクサ（ＤＥＭＵＸ）
４    ＡＶデコーダ
１２  スケーラ／ＯＳＤ回路
１３  第１ＣＰＵ
１４  メモリ
１５  第２ＣＰＵ
１７  ＰＤＰモジュール（ディスプレイモジュール）
１７ａ  ＰＤＰ
１７ｃ  モジュールＣＰＵ
１７ｄ  モジュールメモリ
【図１】
2006270247.tif 000003
【図２】
2006270247.tif 000004
【図３】
2006270247.tif 000005
【図４】
2006270247.tif 000006
【図５】
2006270247.tif 000007